(57)【要約】【課題】  ディスプレイ装置内に構成する発熱部品の発熱を、比較的表面積の大きい陰極線管に熱を伝達させ冷却する放熱性を向上させた陰極線管を備えたテレビジョン受像機を提供する。【解決手段】  映像を表示する陰極線管１０を備えたテレビジョン受像機１のキャビネット２内に設けた発熱部品４０と、陰極線管１０とをヒートパイプ３１により接続する。テレビジョン受像機１の電源がオン状態にある時に高温に発熱する発熱部品４０の熱をヒートパイプ３１を介して陰極線管１０から放熱し、テレビジョン受像機１が高温になることを抑えることができる。【選択図】    図１
2006238030.tif 000002
【特許請求の範囲】
【請求項１】
映像を表示する陰極線管を備えたディスプレイ装置において、このディスプレイ装置内に設けた発熱部品と前記陰極線管とをヒートパイプにより接続したことを特徴とする陰極線管を備えたディスプレイ装置。
【請求項２】
前記発熱部品は、前記ディスプレイ装置のキャビネット内に備えた回路基板に実装されていることを特徴とする請求項１記載の陰極線管を備えたディスプレイ装置。
【請求項３】
前記陰極線管にはその外形に沿って金属製の巻付けバンドが巻き付けられた状態で一体的に構成され、この巻付けバンドに前記ヒートパイプを接続したことを特徴とする請求項１又は２記載の陰極線管を備えたディスプレイ装置。
【請求項４】
前記巻付けバンドに前記ヒートパイプを回動自在に取り付け可能に構成したことを特徴とする請求項１〜３の何れか1項に記載の陰極線管を備えたディスプレイ装置。
【請求項５】
前記ヒートパイプは断面円形状を有し、前記巻付けバンド及発熱部品に円筒状の孔部を設け、この孔部にヒートパイプの両端部を挿入し取り付けたことを特徴とする請求項４記載の陰極線管を備えたディスプレイ装置。
【発明の詳細な説明】
【技術分野】
【０００１】
本発明は、発熱部品を冷却する陰極線管を備えたディスプレイ装置に関する。
【背景技術】
【０００２】
従来から利用されているテレビジョン受像機などのディスプレイ装置においては、そのディスプレイ装置内で発生する熱を効率的に放熱するために、内部に作動流体を封入した熱伝導性に優れたヒートパイプを発熱体に接続し、ヒートパイプから直接、若しくは発熱体からの熱をヒートパイプを介して放熱専用の複数の放熱フィンの設けられた放熱部材などから放熱することにより発熱体を冷却する構造のものが知られている。例えば、特許文献１には、テレビジョン受像機などのディスプレイ装置に関し、ＣＲＴなどの表示体とこの表示体を取り付けるキャビネットとを熱伝達部材で接続し、表示体が発熱した熱を熱伝達部材を介してキャビネットの表面より放熱する構造が開示されている。また、特許文献２には、ＰＤＰ（プラズマディスプレイパネル）の表示面の裏面にアルミ板を固着し、このアルミ板のＰＤＰを固着した反対側の表面に設けた溝にヒートパイプを埋め込んで取付板により固定し、ヒートパイプをアルミ板に密着させることにより、ＰＤＰからの発熱を効率的に冷却する構造が開示されている。また、特許文献３には、冷却を目的とするヒートパイプを組み付ける際の工程数の簡略化を図ることで、生産性を向上するヒートパイプの固定構造が開示されている。
【０００３】
【特許文献１】特開平１１−３８８９１号公報
【特許文献２】特開平９−１９１４４０号公報
【特許文献３】特開２０００−３９２７２号公報
【発明の開示】
【発明が解決しようとする課題】
【０００４】
しかし、特許文献１においては、ＣＲＴの発熱を熱電変換装置を介してキャビネットから放熱するものであり、テレビジョン受像機などのディスプレイ装置内に有する発熱部品の熱をＣＲＴ等の表示装置から放熱することについては、何ら開示も示唆もされていない。また、特許文献２においては、ＰＤＰたる表示装置の裏面に固着したアルミ板に溝を設け、この溝にヒートパイプを埋め込んで固着してＰＤＰを冷却するものであるが、表示装置から放熱することについては、何ら開示も示唆もされていない。また、特許文献３においても、特許文献１及び２と同様に、表示装置から熱を放熱する構造については何ら開示も示唆もされていない。
【０００５】
本発明は、前述した実状を鑑みてなされたものであり、テレビジョン受像機などのディスプレイ装置内に構成する発熱部品の発熱を、映像を表示する陰極線管に熱を伝達させ冷却する放熱性を向上させた陰極線管を備えたディスプレイ装置を提供することを目的とする。
【課題を解決するための手段】
【０００６】
本発明の請求項１の陰極線管を備えたディスプレイ装置は、映像を表示する陰極線管を備えたディスプレイ装置において、このディスプレイ装置内に設けた発熱部品と前記陰極線管とをヒートパイプにより接続したことを特徴とする。
【０００７】
請求項１の構成により、ディスプレイ装置の電源がオン状態にある時に発熱する発熱部品の熱をヒートパイプを介して陰極線管から放熱することができる。
【０００８】
本発明の請求項２の陰極線管を備えたディスプレイ装置は、請求項１記載の陰極線管を備えたディスプレイ装置において、前記発熱部品は、前記ディスプレイ装置のキャビネット内に備えた回路基板に実装されていることを特徴とする。
【０００９】
請求項２の構成により、一般的に回路基板には種々の部品が多数実装されており、これらの部品に、発熱部品からの熱の悪影響を与えないようにヒートパイプを介し陰極線管から放熱することができる。
【００１０】
本発明の請求項３の陰極線管を備えたディスプレイ装置は、請求項１又は２記載の陰極線管を備えたディスプレイ装置において、前記陰極線管にはその外形に沿って金属製の巻付けバンドが巻き付けられた状態で一体的に構成され、この巻付けバンドに前記ヒートパイプを接続したことを特徴とする。
【００１１】
請求項３の構成により、一般的に陰極線管は表面積が大きいことから、それに伴いこの陰極線管の外形回りに沿って巻き付けた巻付けバンドの表面積を大きく採ることが可能となるので、放熱効果を向上することができる。
【００１２】
本発明の請求項４の陰極線管を備えたディスプレイ装置は、請求項１〜３の何れか１項に記載の陰極線管を備えたディスプレイ装置において、前記巻付けバンドに前記ヒートパイプを回動自在に取り付け可能に構成したことを特徴とする。
【００１３】
請求項４の構成により、ヒートパイプは回動自在に取り付けられるので、ディスプレイ装置の組み立て作業時に、ヒートパイプを適宜邪魔にならないよう自由に回動することで、組み立て作業性を向上することができる。
【００１４】
本発明の請求項５の陰極線管を備えたディスプレイ装置は、請求項４記載の陰極線管を備えたディスプレイ装置において、前記ヒートパイプは断面円形状を有し、前記巻付けバンド及発熱部品に円筒状の孔部を設け、この孔部にヒートパイプの両端部を挿入し取り付けたことを特徴とする。
【００１５】
請求項５の構成により、ディスプレイ装置の組み立て時に回動されるヒートパイプの両端部を各孔部に挿入することで、所定位置に保持することができる。
【発明の効果】
【００１６】
本発明の請求項１の陰極線管を備えたディスプレイ装置によれば、映像を表示する陰極線管を備えたディスプレイ装置において、このディスプレイ装置内に設けた発熱部品と前記陰極線管とをヒートパイプにより接続したので、発熱部品からの熱を効率良く放熱することでディスプレイ装置を冷却することが可能となり、熱による悪影響によりディスプレイ装置が故障することを回避できる。さらに、従来のディスプレイ装置のように放熱用に専ら用いられる放熱部材を備える必要がないことから、部品点数を少なくすることができる。
【００１７】
本発明の請求項２の陰極線管を備えたディスプレイ装置によれば、請求項１の記載において、前記発熱部品は、前記ディスプレイ装置のキャビネット内に備えた回路基板に実装したものであり、回路基板の種々の部品への熱の悪影響を回避することができる。
【００１８】
本発明の請求項３の陰極線管を備えたディスプレイ装置によれば、請求項１又は２の記載において、前記陰極線管にはその外形に沿って金属製の巻付けバンドが巻き付けられた状態で一体的に構成され、この巻付けバンドに前記ヒートパイプを接続したので、表面積の大きい陰極線管に巻き付ける巻付けバンドの表面積を大きく採ることで放熱効果を一層向上させ冷却することが可能となる。
【００１９】
本発明の請求項４の陰極線管を備えたディスプレイ装置によれば、請求項１〜３の何れか１項の記載において、前記巻付けバンドに前記ヒートパイプを回動自在に取り付け可能に構成したので、ヒートパイプを適宜邪魔にならないよう回動させ組み立て作業を短時間で行なうことが可能となる。
【００２０】
本発明の請求項５の陰極線管を備えたディスプレイ装置によれば、請求項４の記載において、前記ヒートパイプは断面円形状を有し、前記巻付けバンド及発熱部品に円筒状の孔部を設け、この孔部にヒートパイプの両端部を挿入し取り付けたものであり、ヒートパイプが動くことのないよう所定位置に確実に保持することができる。
【発明を実施するための最良の形態】
【００２１】
以下、本発明を実施するための最良の形態としての実施例を図１〜図９に基づき以下に説明する。もちろん、本発明は、その発明の趣旨に反しない範囲で、実施例において説明した以外の構成のものに対しても容易に適用可能なことは説明を要するまでもない。
【００２２】
図１は本発明の一例を示すテレビジョン受像機のバックキャビネットを取り外した状態を示す斜視図、図２はテレビジョン受像機を上方から視た状態を示す説明図、図３はテレビジョン受像機の要部拡大斜視図、図４はテレビジョン受像機の要部を示すテレビジョン受像機の背面図、図５はテレビジョン受像機の要部を示すテレビジョン受像機の側面図、図６はヒートパイプを取り付ける放熱板の平面図、図７はヒートパイプを取り付ける放熱板の背面図である。
【００２３】
ディスプレイ装置たるテレビジョン受像機１は、図１に示すように、そのキャビネット２がそれぞれ合成樹脂から成るフロントキャビネット２ｆとバックキャビネット２ｂとに分割されるようになっており、フロントキャビネット２ｆには、前面に画像を表示する表示部３を有する陰極線管１０が固定されるようになっている。また、この陰極線管１０には金属製の巻付けバンド１３が巻き付けた状態で一体的に設けられており、陰極線管１０の四隅には、取付孔１１を形成した突出片１２が巻付けバンド１３に一体に固着されている。
【００２４】
また、キャビネット２内の下側には、フロントキャビネット２ｆにネジ止めする回路基板としてのメイン基板２０を備えており、このメイン基板２０の上面には、チューナ２１、陰極線管１０に高電圧を印加するフライバックトランス２２、偏向コイル２３に接続されているコネクタ２４、後述する発熱部品４０、図示しないマイコンなどの種々の部品が実装されるものであり、フライバックトランス２２は、その上部に接続した高電圧用配線２５から、アノードキャップ２６を介して高電圧を陰極線管１０に印加するようになっている。なお、陰極線管１０に高電圧が印加されている状態、すなわち、表示部３に映像が表示されている状態においては、前記発熱部品４０が高温に発熱する。
【００２５】
３０は内部に作動流体を封入した熱を伝達するヒートパイプ３１の取り付けられる金属製の取付金具であり、この取付金具３０には、ヒートパイプ３１の一方端が挿入される筒状の孔部３２と、その下方に螺子の挿入される螺子孔３３とを備え、この螺子孔３３と前記巻付けバンド１３の取付孔１１とを重ねた状態で、陰極線管１０と取付金具３０とをフロントキャビネット２ｆに螺子により共締めして固定できるようになっていて、本実施例においては、取付金具３０と巻付けバンド１３との間には、図４に示すように、柔軟性、粘着性、及び熱伝導性を備えたシリコーンゴムシート３４が密着された状態で介在される。
【００２６】
また、発熱部品４０は、テレビジョン受像機１の電源のオン状態にあって陰極線管１０の表示部３に映像が表示されている時に、この陰極線管１０より高温に発熱するもので、発熱部品４０は、図６に示すように、その端子４０ａがメイン基板２０に半田付けして固定されており、この固定された発熱部品４０に放熱効果を有する金属製の放熱板４１を当接させた状態でビスにより固定し、放熱板４１に形成した孔部４２と、前述した陰極線管１０に取り付けられる取付金具３０の孔部３２とにコ字形のヒートパイプ３１の両端を挿入することにより、発熱部品４０の発熱を、放熱板４１、ヒートパイプ３１、取付金具３０、シリコーンゴムシート３４の順に伝導させ、最終的に陰極線管１０の巻付けバンド１３にその熱を伝達させるようになっており、つまり、発熱部品４０から生じた熱を陰極線管１０から放熱する。
【００２７】
なお、本実施例においては、図６及び図７に示すように、発熱部品４０と放熱板４１とに有する平面状の部分を相互に面接触させることにより、熱の伝達がされるように構成しているが、例えば、図８及び図９に示すように、放熱板４１に代えて、発熱部品４０のほぼ全体をシリコーンゴムキャップ５１により密着させた状態で覆って構成することで、発熱部品４０の発熱を一層効率的に伝達可能に構成するなど種々の変形実施も可能である。
【００２８】
次に、ヒートパイプ３１の取り付け手順について説明する。先ず、フロントキャビネット２ｆに取付金具３０を陰極線管１０と共に取り付ける。そして、取付金具３０の孔部３２にヒートパイプ３１の一方を挿入する。続いて、図２に示すように、発熱部品４０、チューナ２１、フライバックトランス２２などの種々の部品を予め実装したメイン基板２０をフロントキャビネット２ｆの所定位置にスライドさせてネジ止めなどにより取り付ける。この時、ヒートパイプ３１は、その一方端部が、取付金具３０の孔部３２に回動自在に挿入されていることから、フロントキャビネット２ｆにメイン基板２０を取り付ける組み立て作業の際に、ヒートパイプ３１を適宜回動させることができるので、メイン基板２０等の取り付け作業を容易に行うことができ、メイン基板２０を取り付けた後に、ヒートパイプ３１の他方端部を、放熱板４１若しくはシリコーンゴムキャップ５１の孔部４２に挿入して、ヒートパイプ３１の両端を挿入することでこのヒートパイプ３１を所定位置に確実に保持することができる。
【００２９】
以上のように、本実施例によれば、テレビジョン受像機１内たるキャビネット２内に設けた発熱部品４０と巻付けバンド１３を構成する陰極線管１０とをヒートパイプ３１により接続し、発熱部品４０から発生した発熱を、比較的表面積の大きい陰極線管１０に熱を伝達させ、高温にならないようディスプレイ装置１を冷却することが可能となる。
【００３０】
さらに、メイン基板２０に実装される発熱部品４０の熱を放熱することで、メイン基板２０に実装されているマイコンなどの種々の部品に熱による好ましくない影響が与えられ、ひいてはテレビジョン受像機１が故障などの事態に陥ることを回避することが可能となる。
【００３１】
しかも、陰極線管１０にはその外形に沿って金属製の巻付けバンド１３が巻き付けられた状態で一体的に構成され、巻付けバンド１３とヒートパイプ３１とを取付金具３０を介して接続したものである。これにより、一般的に表面積の大きい陰極線管１０の外形回りに沿って一回りするように巻き付けた金属製の巻付けバンド１３の表面積を大きく採ることが可能となり、表面積を大きく採ることで、テレビジョン受像機１の放熱効果一層向上させ冷却することが可能となる。
【００３２】
また、巻付けバンド１３に取付金具３０を介してヒートパイプ３１を回動自在に取り付けることで、テレビジョン受像機１の組み立て作業時に、ヒートパイプ３１を適宜邪魔にならないよう自由に回動することで、組み立て作業の短時間で行い、ひいては製造コストを安価に抑えることができる。
【００３３】
また、ヒートパイプ３１は断面円形状を有しており、巻付けバンド１３と一体的に取り付けられる取付金具３０、及び発熱部品４０に一体的に取り付けられる放熱板４１或いはシリコーンゴムキャップ５１とに設けた円形の孔部３２，４２にヒートパイプ３１の両端部を挿入し取り付けることができるので、テレビジョン受像機１の組み立て時に自由に回動されていたヒートパイプ３１の両端部を各孔部３２，４２に挿入することで、所定位置に確実に保持することができる。
【００３４】
本発明の一実施例について詳述したが、本発明は、前記実施例に限定されるものでなく、本発明の要旨の範囲内で種々の変形実施が可能である。例えば、ヒートパイプ３１と接触する、取付金具３０、放熱板４１、或いはシリコーンゴムキャップ５１との隙間にシリコーンオイルを充填することで、より一層熱の伝達効率を向上することも可能となる。
【図面の簡単な説明】
【００３５】
【図１】本発明の一例を示す本発明の一例を示すテレビジョン受像機のバックキャビネットを取り外した状態を示す斜視図である。
【図２】同上、テレビジョン受像機を上方から視た状態を示す説明図である。
【図３】同上、テレビジョン受像機の要部拡大斜視図である。
【図４】同上、テレビジョン受像機の要部を示すテレビジョン受像機の背面図である。
【図５】テレビジョン受像機の要部を示すテレビジョン受像機の側面図である。
【図６】同上、ヒートパイプを取り付ける放熱板の平面図である。
【図７】同上、ヒートパイプを取り付ける放熱板の背面図である。
【図８】ヒートパイプを取り付けるシリコーンゴムキャップの平面図である。
【図９】同上、ヒートパイプを取り付けるシリコーンゴムキャップの背面図である。
【符号の説明】
【００３６】
１  テレビジョン受像機（ディスプレイ装置）
２  キャビネット
１０  陰極線管
１３  巻付けバンド
２０  メイン基板（回路基板）
３１  ヒートパイプ
３２，４２  孔部
４０  発熱部品
【図１】
2006238030.tif 000003
【図２】
2006238030.tif 000004
【図３】
2006238030.tif 000005
【図４】
2006238030.tif 000006
【図５】
2006238030.tif 000007
【図６】
2006238030.tif 000008
【図７】
2006238030.tif 000009
【図８】
2006238030.tif 000010
【図９】
2006238030.tif 000011